(57)【要約】【課題】容器外側に向かって膨らんだ正面壁と背面壁とで胴部が構成され、上縁を封止した紙製容器であって、上縁の蓋片と背面壁との間に隙間ができない紙製容器を提供すること。【解決手段】蓋片１６１の上縁の一部に折り曲げ線１ｈ２を介して固定介在片１７１を連接し、残部の蓋片の上縁１ｈ１，１ｈ３を固定用先端部とする。そして、蓋片１６１で容器上部を封止すると共に、固定介在片１７１を折り曲げて背面壁１１２に沿わせる。一方、背面壁１１２の上縁に蓋部固定片１８１及び差込片１９１，１９２を順次連接する。そして、蓋部固定片１８１を折り返して、この蓋部固定片１８１と背面壁１１２との間に固定介在片１７１を挟む。また、差込片１９１，１９２を固定用先端部と背面壁１１２との間に差し込んで隙間なく固定する。【選択図】図１
2018070172.tif 000002
【特許請求の範囲】
【請求項１】
筒状胴部とこの筒状胴部の上下端をそれぞれ封止する蓋部及び底部とを有し、１枚の紙製ブランクで構成された紙製容器であって、
前記筒状胴部が正面壁と背面壁とから成り、これら正面壁の両側縁と背面壁の両側縁とが一致していると共に、これら正面壁及び背面壁が、いずれも、容器外側に向かって膨らんでおり、
前記正面壁の上縁に折り曲げ線（正面壁上縁折り曲げ線）を介して蓋片が連接されており、この蓋片の上縁の一部に折り曲げ線（固定介在片折り曲げ線）を介して固定介在片が連接されていると共に、蓋片の上端の残部を固定用先端部としており、
一方、背面壁は正面壁より大きく、その上縁が正面壁の上縁より上方に位置しており、この背面壁の上縁に折り返し線（背面壁上縁折り返し線）を介して蓋部固定片が設けられ、かつ、この蓋部固定片の上縁に差込片が設けられており、
前記正面壁上縁折り曲げ線で折り曲げられて蓋片が筒状胴部の上縁を封止していると共に、前記固定介在片折り曲げ線で折り曲げられて固定介在片が背面壁に沿って配置されており、
前記背面壁上縁折り返し線で折り返されて蓋部固定片が背面壁に沿って配置されていると共に、この蓋部固定片と背面壁との間に前記固定介在片を挟んでおり、かつ、蓋部固定片先端の差込片が前記固定用先端部と背面壁に挟まれて固定されている、
ことを特徴とする紙製容器。
【請求項２】
前記蓋部固定片に罫線が設けられており、この罫線が前記背面壁上縁折り返し線の中央から放射状に設けられていることを特徴とする請求項１に記載の紙製容器。
【請求項３】
正面壁の上縁より上方の位置の背面壁に吊り下げ孔が設けられていることを特徴とする請求項１又は２に記載の紙製容器。
【請求項４】
前記蓋部固定片に打ち抜き領域が設けられており、この打ち抜き領域が前記吊り下げ孔に対応する位置に配置されていることを特徴とする請求項３に記載の紙製容器。
【請求項５】
前記打ち抜き領域が前記背面壁上縁折り返し線の中央を含む位置に設けられていることを特徴とする請求項４に記載の紙製容器。
【請求項６】
正面壁と背面壁の下部において、これら正面壁と背面壁の両側縁が二本の下部折り曲げ線に分岐しており、これら二本の下部折り曲げ線と正面壁下縁及び背面壁下縁とで囲まれた領域が略三角形状をしており、前記下部折り曲げ線で折り曲げて前記略三角形状領域を内側に押し込んでこの略三角形状領域を下部側壁としており、かつ、この下部側壁に長方形状底部が接続されていることを特徴とする請求項１〜５のいずれかに記載の紙製容器。
【発明の詳細な説明】
【技術分野】
【０００１】
本発明は、容器外側に向かって膨らんだ正面壁と背面壁とを向かい合わせに接合した胴部を有する紙製容器に関する。
【背景技術】
【０００２】
前述のように、胴部が互いに向かい合わせに接合した正面壁と背面壁とで構成され、これら正面壁と背面壁とがいずれも容器外側に向かって膨出している紙製容器は公知であり、例えば、特許文献１に記載されている。
【０００３】
特許文献１に記載の紙製容器４００は図６の斜視図に示すようなもので、図７にそのブランクの展開図を示す。すなわち、この紙製容器４００のブランクでは、正面壁４１１を有しており、折り曲げ線４ｂを介してこの正面壁４１１の右側に背面壁４１２が連接され、さらに背面壁４１２の右側に折り曲げ線４ｃを介して糊代４１３が連接されている。
【０００４】
また、正面壁４１１の下部には、円弧状の折り曲げ線４ｄを介して底片４２１が連接されている。なお、この底片４２１は、その上縁が円弧状の前記折り曲げ線４ｄで構成され、下縁４ｅも円弧状の形状を有しており、これら円弧状の上縁４ｄと下縁４ｅとで囲まれた形状を有している。
【０００５】
また、正面壁４１１の上縁には、円弧状の折り曲げ線４ｆを介して蓋片４３１が連接されており、更にこの蓋片４３１の上部に差込片４４１が設けられている。なお、この蓋部４３１は、差込片４４１の部分を除いて底片４２１と同形同大である。
【０００６】
一方、背面壁４１２は正面壁４１１より大きく構成されており、その上縁は正面壁４１１の上縁より高い位置に配置されている。そして、この背面壁４１２には、蓋部を構成する位置に差込用スリット４ｈが設けられており、さらにこれより高い位置に吊り下げ孔Ａが設けられている。
【０００７】
そして、このブランクを、まず、折り曲げ線４ｂで折り曲げて背面壁４１２上に正面壁４１１に重ね、更に折り曲げ線４ｃで折り曲げて糊代４１３を正面壁４１１外面に接着することにより、筒状とする。このように背面壁４１２上に正面壁４１１に重ねて筒状とするため、正面壁４１１の側縁４ａの位置は折り曲げ線４ｃの位置に一致する。
【０００８】
次に、正面壁４１１及び背面壁４１２を、それぞれ、外側に向けて円弧状に膨出させると共に、折り曲げ線４ｄで折り曲げて底片４２１を正面壁４１１と背面壁４１２との間に挟むことにより、容器下端を封止すると共に、この容器下端における正面壁４１１と背面壁４１２との膨出形状を固定する。
【０００９】
そして、次に、折り曲げ線４ｆで折り曲げて蓋片４３１で容器上縁を封止すると共に、差込片４４１を差込用スリット４ｈに差し込んで固定する。この固定により、容器下端においても正面壁４１１と背面壁４１２との膨出形状が保持固定される。
【００１０】
この紙製容器４００は、図６に示すように、その胴部が容器外側に向かって円弧状に膨出した正面壁４１１と背面壁４１２とで構成されたもので、デザイン的にも優れたものである。なお、この紙製容器４００は、その底部が円弧状の上縁４ｄと下縁４ｅとで囲まれた形状を有しているため、安定して自立させることが困難であり、フック等を吊り下げ孔Ａに差し込み、吊り下げて展示される。
【００１１】
ところで、この紙製容器は、その蓋部においては、蓋片４３１の差込片４４１を背面壁４１２の差込用スリット４ａに差し込んで固定しているに過ぎないから、この背面壁４１２と蓋片４３１との間に隙間ができ易いという問題があった。
【先行技術文献】
【特許文献】
【００１２】
【特許文献１】実開昭６０−１７９６１１号公報
【発明の概要】
【発明が解決しようとする課題】
【００１３】
そこで、本発明は、容器外側に向かって膨らんだ正面壁と背面壁とで胴部が構成され、上縁を封止した紙製容器であって、上縁の蓋片と背面壁との間に隙間ができない紙製容器を提供することを目的とする。
【課題を解決するための手段】
【００１４】
すなわち、請求項１に記載の発明は、
筒状胴部とこの筒状胴部の上下端をそれぞれ封止する蓋部及び底部とを有し、１枚の紙製ブランクで構成された紙製容器であって、
前記筒状胴部が正面壁と背面壁とから成り、これら正面壁の両側縁と背面壁の両側縁とが一致していると共に、これら正面壁及び背面壁が、いずれも、容器外側に向かって膨らんでおり、
前記正面壁の上縁に折り曲げ線（正面壁上縁折り曲げ線）を介して蓋片が連接されており、この蓋片の上縁の一部に折り曲げ線（固定介在片折り曲げ線）を介して固定介在片が連接されていると共に、蓋片の上端の残部を固定用先端部としており、
一方、背面壁は正面壁より大きく、その上縁が正面壁の上縁より上方に位置しており、この背面壁の上縁に折り返し線（背面壁上縁折り返し線）を介して蓋部固定片が設けられ、かつ、この蓋部固定片の上縁に差込片が設けられており、
前記正面壁上縁折り曲げ線で折り曲げられて蓋片が筒状胴部の上縁を封止していると共に、前記固定介在片折り曲げ線で折り曲げられて固定介在片が背面壁に沿って配置されており、
前記背面壁上縁折り返し線で折り返されて蓋部固定片が背面壁に沿って配置されていると共に、この蓋部固定片と背面壁との間に前記固定介在片を挟んでおり、かつ、蓋部固定片先端の差込片が前記固定用先端部と背面壁に挟まれて固定されている、
ことを特徴とする紙製容器である。
【００１５】
次に、請求項２に記載の発明は、前記蓋部固定片に罫線が設けられており、この罫線が前記背面壁上縁折り返し線の中央から放射状に設けられていることを特徴とする請求項１に記載の紙製容器である。
【００１６】
また、請求項３に記載の発明は、正面壁の上縁より上方の位置の背面壁に吊り下げ孔が設けられていることを特徴とする請求項１又は２に記載の紙製容器である。
【００１７】
また、請求項４に記載の発明は、前記蓋部固定片に打ち抜き領域が設けられており、この打ち抜き領域が前記吊り下げ孔に対応する位置に配置されていることを特徴とする請求項３に記載の紙製容器である。
【００１８】
また、請求項５に記載の発明は、前記打ち抜き領域が前記背面壁上縁折り返し線の中央を含む位置に設けられていることを特徴とする請求項４に記載の紙製容器である。
【００１９】
また、請求項６に記載の発明は、正面壁と背面壁の下部において、これら正面壁と背面壁の両側縁が二本の下部折り曲げ線に分岐しており、これら二本の下部折り曲げ線と正面壁下縁及び背面壁下縁とで囲まれた領域が略三角形状をしており、前記下部折り曲げ線で折り曲げて前記略三角形状領域を内側に押し込んでこの略三角形状領域を下部側壁としており、かつ、この下部側壁に長方形状底部が接続されていることを特徴とする請求項１〜５のいずれかに記載の紙製容器である。
【発明の効果】
【００２０】
本発明においては、蓋片の先端に固定介在片が連接されて、この固定介在片が背面壁に沿って配置され、しかも、この固定介在片が蓋部固定片と背面壁との間に挟まれている。そして、蓋部固定片は蓋片の固定用先端部と背面壁との間に挟まれて固定されているから、固定介在片と背面壁との間、すなわち、蓋片と背面壁との間に隙間が生じることがない。
【図面の簡単な説明】
【００２１】
【図１】図１は本発明の紙製容器の第１の具体例の斜視図である。
【図２】図２は本発明の紙製容器の第１の具体例のブランクの展開図である。
【図３】図３は本発明の紙製容器の第１の具体例の組立方法を説明するための斜視図である。
【図４】図４は本発明の紙製容器の第２の具体例のブランクの一部展開図である。
【図５】図５は本発明の紙製容器の第３の具体例のブランクの一部展開図である。
【図６】図６は従来の紙製容器の斜視図である。
【図７】図７は従来の紙製容器のブランクの展開図である。
【発明を実施するための形態】
【００２２】
以下、図面を参照して本発明を説明する。図面の図１は本発明の紙製容器の具体例の斜視図であり、図２はそのブランクの展開図である。説明の便宜上、まず、ブランクについて説明する。
【００２３】
このブランクは正面壁１１１を有しており、ここには商品の名称やその説明等が印刷表示されている。そして、この正面壁１１１の右側には、折り曲げ線１ｂを介して背面壁１１２が連接されている。また、この背面壁１１２の右側には、折り曲げ線１ｃを介して糊代１１３が連接されている。なお、折り曲げ線１ｂは、その下部において、二本の折り曲げ線（下部折り曲げ線）１ｂ１，１ｂ２に分岐しており、折り曲げ線１ｃも二本の下部折り曲げ線１ｃ１，１ｃ２に分岐している。これら二本の下部折り曲げ線１ｂ１，１ｂ２で挟まれた略三角形状領域１４１と、二本の下部折り曲げ線１ｃ１，１ｃ２で挟まれた略三角形状領域１４２とは、いずれも、側壁（下部側壁）を構成するものであるが、この点については後述する。なお、下部折り曲げ線１ｃ１に対応して、正面壁１１１の側縁も、その下部において屈曲しており、後述するように、紙箱１００を組み立てたとき、この屈曲部分１ａ１は下部折り曲げ線１ｃ１に一致する。
【００２４】
次に、正面壁１１１の下側には、折り曲げ線１ｄを介して底片１２１が連接されている。底片１２１は図示のように長方形状を有しており、その長辺の長さは正面壁１１１の幅（側縁１ａと折り曲げ線１ｂとの間の長さ）より短く、短辺の長さは下端における二本の下部折り曲げ線１ｂ１，１ｂ２の間の距離とほぼ等しい。
【００２５】
また、この底片１２１の下側に、折り曲げ線１ｆ１，１ｆ２を介して小差込フラップ１３１，１３２が連接されている。小差込フラップ１３１，１３２は、その間に間隙を有して配置されている。また、折り曲げ線１ｆ１のうち小差込フラップ１３２側の端部は切り込み１ｆ１ａとされており、同様に折り曲げ線１ｆ２のうち小差込フラップ１３１側の端部は切り込み１ｆ２ａとされている。このため、切り込み１ｆ１ａと切り込み１ｆ２ａとは、小差込フラップ１３１，１３２間の間隙を挟んで互いに向かい合う位置に配置されている。
【００２６】
次に、前記略三角形状領域１４１の下側には、折り曲げ線（符号なし）を介してフラップ１５１が連接されている。
【００２７】
次に、背面壁１１２の下側には、折り曲げ線１ｅを介して底固定片１２２が連接されており、その両端は切り込み１ｅ１，１ｅ２とされている。この切り込み１ｅ１，１ｅ２は、前記小差込フラップ１３１，１３２の切り込み１ｆ１ａ，１ｆ２ａと噛み合うことができるように構成されている。
【００２８】
なお、略三角形状領域１４２の下側にも、折り曲げ線（符号なし）を介してフラップ１５２が連接されている。
【００２９】
そして、正面壁１１１の上側には、円弧状の折り曲げ線（正面壁上縁折り曲げ線）１ｇを介して蓋片１６１が連接されており、その蓋片１６１は円弧状の上縁を有している。そして、この上縁の略中央は折り曲げ線（固定介在片折り曲げ線）１ｈ２とされており、この固定介在片折り曲げ線１ｈ２を介して固定介在片１７１が連接されている。図中、１ｈ１及び１ｈ３はこの固定介在片折り曲げ線１ｈ２の両側に位置する蓋片１６１の上縁を示しており、後述するように差込片１９１，１９２を蓋片１６１と背面壁１１２とで挟む固定用先端部を構成している。
【００３０】
次に、図示のように背面壁１１２は正面壁１１１より上下方向に大きく構成されており、その上縁は正面壁１１１の上縁より上方に位置している。そして、この正面壁１１１より上方の位置に吊り下げ孔Ａが設けられている。
【００３１】
次に、背面壁１１２の上縁には折り返し線（背面壁上縁折り返し線）１ｉを介して蓋部固定片１８１が設けられている。この蓋部固定片１８１には打ち抜き領域Ｂが設けられており、背面壁上縁折り返し線１ｉで蓋部固定片１８１を折り返して背面壁１１２の上部に重ねたとき、この打ち抜き領域Ｂの内部に吊り下げ孔Ａが位置するような位置と大きさに設けられている。なお、この例では、打ち抜き領域Ｂは、背面壁上縁折り返し線１１ｉの中央を中心とする長円の半分を占める形状を有している。なお、この蓋部固定片１８１は紙製容器１００を組み立てたとき、正面壁１１１の上部に位置するから、正面壁１１１の印刷表示に加えて、ここに商品の説明等を印刷表示しておくことが望ましい。
【００３２】
また、この蓋部固定片１８１には複数本の罫線１ｋ１〜１ｋ５が設けられている。この例では５本である。これら複数本の罫線１ｋ１〜１ｋ５の形状等については後述する。
【００３３】
次に、蓋部固定片１８１の上縁は直線状の線分を連接した折れ線で構成されている。この例では、３本の線分１ｊ１，１ｊ２，１ｊ３を連接して蓋部固定片１８１の上縁を構成している。そして、これら３本の線分のうち、両端の線分１ｊ１，１ｊ３を介して差込片１９１，１９２が設けられている。これら差込片１９１，１９２は、蓋片１６１の上縁（固定用先端部）１ｈ１及び１ｈ３と背面壁１１２との間で挟まれて、蓋片１６１を位置固定する機能を有するものである。
【００３４】
次に、蓋部固定片１８１の罫線１ｋ１〜１ｋ５について説明する。この罫線１ｋ１〜１ｋ５は、背面壁上縁折り返し線１ｉの中央を放射中心としてここから放射状に設けられているものである。そして、この罫線１ｋ１〜１ｋ５の一部は、蓋部固定片１８１の折れ線状の上縁を構成する線分１ｊ１，１ｊ２，１ｊ３同士の交点に向って伸びている。この例
では、５本の罫線１ｋ１〜１ｋ５のうち、図示左側の罫線１ｋ１は、背面壁上縁折り返し線１１ｉの中央を放射中心としてここから、折り曲げ線１ｂと背面壁上縁折り返し線１ｉの交点の方向に向って伸びており、その反対側（図示左側）の罫線１ｋ５は、前記放射中心から折り曲げ線１ｃと背面壁上縁折り返し線１ｉとの交点の方向に向って伸びている。図示左から２番目の罫線１ｋ２は線分１ｊ１と線分１ｊ２との交点の方向に向って伸びており、図示右から２番目の罫線１ｋ４は線分１ｊ２と線分１ｊ３との交点の方向に向って伸びている。そして、中央の罫線１ｋ３は線分１ｊ２の中央に向って伸びている。
【００３５】
なお、背面壁上縁折り返し線１１ｉの中央、すなわち、罫線１ｋ１〜１ｋ５の放射中心には、これを含む領域に打ち抜き領域Ｂが設けられているから、これら罫線１ｋ１〜１ｋ５は背面壁上縁折り返し線１１ｉの中央（放射中心）に到達しておらず、いずれの罫線１ｋ１〜１ｋ５も打ち抜き領域Ｂと蓋部固定片１８１の折れ線状上縁１ｊ１，１ｊ２，１ｊ３とを結んでいるに過ぎない。このため、蓋部固定片１８１は、背面壁１１２に拘束されることなく、これら罫線１ｋ１〜１ｋ５で左右方向に折り曲げることが可能である。
【００３６】
次に、このブランクを使用して紙製容器１００を組み立てる方法を説明する。この組立工程は、筒状胴部形成工程、底部組立工程、蓋部組立工程の３工程に大別することができる。
【００３７】
まず、筒状胴部形成工程は、折り曲げ線１ｂで折り曲げて正面壁１１１を背面壁１１２に重ねると共に、折り曲げ線１ｃで折り曲げて糊代１１３を正面壁１１１に重ね、これら正面壁１１１と糊代１１３とを接着する工程である。この工程により、正面壁１１１の側縁１ａは折り曲げ線１ｃに重なり、このため、この筒状胴部は、正面壁１１１の両側縁１ａ，１ｂと背面壁１１２両側縁１ｃ，１ｂとが一致した筒状に形成される。なお、正面壁１１１の側縁１ａ下部の屈曲部分１ａ１は下部折り曲げ線１ｃ１に一致する。
【００３８】
次に、底部組立工程を説明する。筒状胴部形成工程において形成された筒状胴部において、まず、その下部折り曲げ線１ｂ１，１ｂ２を折り曲げて、これら下部折り曲げ線１ｂ１，１ｂ２で挟まれた略三角形状領域１４１を筒状胴部の内側に押し込んで下部側壁とすると共に、この略三角形状領域１４１に連接したフラップ１５１を折り込む。同様に下部折り曲げ線１ｃ１，１ｃ２を折り曲げて、これら下部折り曲げ線１ｃ１，１ｃ２で挟まれた略三角形状領域１４２を筒状胴部の内側に押し込んで下部側壁とすると共に、この略三角形状領域１４２に連接したフラップ１５２を折り込む。
【００３９】
次に、折り曲げ線１ｄ及び１ｆをいずれも山折りして、底片１２１で筒状胴部の底を封止すると共に、小差込フラップ１３１，１３２を底片１２１と背面壁１１２との間に差し込む。
【００４０】
そして、折り曲げ線１ｅで折り曲げて、底固定片１２２を底片１２１と背面壁１１２との間に差し込む。折り曲げ線１ｅ両端の切り込み１ｅ１，１ｅ２は底固定片１２２の切り込み１ｆ１ａ，１ｆ２ａと互いに噛み合うから、これら切り込み１ｅ１，１ｅ２と切り込み１ｆ１ａ，１ｆ２ａとで底部形状を固定することができる。
【００４１】
なお、こうして形成された底部は、底片１２１の形状と同一形状であり、長方形状である。
【００４２】
次に、蓋部組立工程を説明する。筒状胴部形成工程において形成された筒状胴部において、円弧状の正面壁上縁折り曲げ線１ｇを山折りすると共に、固定介在片折り曲げ線１ｈ２を谷折して、蓋片１６１で筒状胴部の上部を封止し、その上縁１ｈ１，１ｈ３を固定用先端部として背面壁１１２に当接すると共に、固定介在片１７１を背面壁１１２の内面に
沿って位置させる（図３参照）。
【００４３】
次に、背面壁上縁折り返し線１ｉで折り返して蓋部固定片１８１を固定介在片１７１の上に重ねることにより、蓋部固定片１８１と背面壁１１２との間に固定介在片１７１を挟むと共に、蓋部固定片１８１上縁の差込片１９１，１９２を、蓋片１６１の上縁（固定用先端部）１ｈ１，１ｈ３と背面壁１１２との間に差し込む。この工程により、蓋片１６１に連接された固定介在片１７１は背面壁１１２に連接された固定介在片１７１と背面壁１１２とに挟まれ、一方、蓋片１６１の上縁（固定用先端部）１ｈ１，１ｈ３と背面壁１１２とで差込片１９１，１９２を挟むから、蓋片１６１は位置固定される。また、こうして位置固定された蓋片１６１は背面壁１１２に当接しており、両者の間に隙間が生じることもない。
【００４４】
なお、差込片１９１，１９２を固定用先端部１ｈ１，１ｈ３と背面壁１１２との間に差し込む際には、罫線１ｋ１〜１ｋ５で蓋部固定片１８１を背面壁１１２の内面形状に沿うように折り曲げて差し込むことが望ましい。罫線１ｋ１〜１ｋ５は打ち抜き領域Ｂと蓋部固定片１８１の折れ線状上縁１ｊ１，１ｊ２，１ｊ３とを結んでいるに過ぎないから、背面壁１１２に拘束されることなく、左右方向に折り曲げることが可能である。また、このように折り曲げた蓋部固定片１８１は、容器外側に向かって円弧状に膨らんだ背面壁１１２の内面にほぼ沿って配置させることが可能であり、このため、この蓋部固定片１８１と背面壁１１２との間に隙間が生じることも防ぐことができる。
【００４５】
紙製容器１００は以上のような工程で組み立てることができる。こうして組み立てられた紙製容器１００は、図１に示すように、筒状胴部とこの筒状胴部の上下端をそれぞれ封止する蓋部及び底部とを有するものである。
【００４６】
そして、筒状胴部は正面壁１１１と背面壁１１２とから成り、これら正面壁１１１の両側縁１ａ，１ｂと背面壁１１２の両側縁１ｃ，１ｂとが一致していると共に、これら正面壁１１１及び背面壁１１２は、いずれも、容器外側に向かって膨らんでいる。
【００４７】
正面壁１１１の両側縁１ａ，１ｂは、いずれも、二本の下部折り曲げ線１ａ１，１ａ２及び１ｂ１，１ｂ２に分岐しており、これら二本の下部折り曲げ線１ａ１，１ａ２及び１ｂ１，１ｂ２と正面壁１１１下縁１ｄ及び背面壁下縁１ｅとで囲まれた領域１４１，１４２が略三角形状をしており、前記下部折り曲げ線１ａ１，１ａ２で折り曲げて前記略三角形状領域１４１，１４２を内側に押し込んでこの略三角形状領域１４１，１４２を下部側壁としている。そして、紙製容器１００の底部は長方形状を有しており、下部側壁１４１，１４２はこの長方形状底部が接続されている。
【００４８】
次に、正面壁１１１の上縁に正面壁上縁折り曲げ線１ｇを介して蓋片１６１が連接されている。そして、この蓋片１６１の上縁は円弧状に構成されており、この円弧状上縁１ｈ１，１ｈ２，１ｈ３の中央を固定介在片折り曲げ線１ｈ２として、これを介して固定介在片１７１が連接されていると共に、蓋片の上縁の残部１ｈ１，１ｈ３を固定用先端部としている。そして、正面壁上縁折り曲げ線１ｇで折り曲げられて蓋片１６１が筒状胴部の上縁を封止していると共に、前記固定介在片折り曲げ線１ｈ２で折り曲げられて固定介在片１７１が背面壁に沿って配置されている。
【００４９】
一方、背面壁１１２は正面壁１１１より大きく、その上縁が正面壁の上縁より上方に位置している。そして、この正面壁１１１より上方の位置に吊り下げ孔Ａが設けられている。
【００５０】
また、この背面壁１１２の上縁には、背面壁上縁折り返し線１ｉを介して蓋部固定片１
８１が設けられ、かつ、この蓋部固定片１８１の上縁に２つの差込片１９１，１９２が設けられている。
【００５１】
そして、蓋部固定片１８１の上縁は、複数の直線状線分１ｊ１，１ｊ２，１ｊ３を連接した折れ線で構成されている。そして、背面壁上縁折り返し線１ｉの中央を放射中心として、この放射中心から複数の前記直線状線分１ｊ１，１ｊ２，１ｊ３同士の交点に向って、罫線１ｋ１〜１ｋ５が設けられている。なお、この背面壁上縁折り返し線１ｉの中央（放射中心）を含む領域には打ち抜き領域Ｂが設けられているから、罫線１ｋ１〜１ｋ５は打ち抜き領域Ｂと蓋部固定片１８１の折れ線状上縁１ｊ１，１ｊ２，１ｊ３とを結んでいる。
【００５２】
そして、背面壁上縁折り返し線１ｉで折り返されて蓋部固定片１８１が背面壁１１２に沿って配置されており、かつ、この蓋部固定片１８１と背面壁１１２との間に固定介在片１７１を挟んでおり、かつ、蓋部固定片１８１先端の差込片１９１，１９２が固定用先端部１ｈ１，１ｈ３と背面壁１１２に挟まれており、この構造によって蓋片１６１と背面壁１１２とが隙間なく当接されている。
【００５３】
なお、蓋部固定片１８１には、背面壁上縁折り返し線１ｉの中央を放射中心として、この放射中心から所定の方向に向って複数の罫線１ｋ１〜１ｋ５が設けられており、この背面壁上縁折り返し線１ｉの中央を含む領域に打ち抜き領域Ｂが設けられている。そして、蓋部固定片１８１はこの罫線１ｋ１〜１ｋ５によって折り曲げられて、背面壁１１２の内面にほぼ沿って、両者の間に隙間を生じることなく、配置されている。
【００５４】
なお、この打ち抜き領域Ｂは吊り下げ孔Ａに対応して設けられており、このため、フック等を利用して紙製容器１００を吊り下げることができる。
【００５５】
また、以上の説明から分かるように、紙製容器１００の蓋部は二本の円弧に挟まれた形状を有しているが、底部は長方形状に構成されており、このため、テーブル等の載置台上に安定して載置することができる。
【００５６】
以上、紙製容器１００を具体例として本発明を説明したが、別の構造を有する紙製容器であってもよい。図４及び図５を参照して、別の具体例を説明する。なお、図４及び図５は、いずれも、底部構造が紙製容器１００と異なる紙製容器２００及び３００に係るもので、このため、これら紙製容器２００，３００のブランクのうち、底部構造に関連する部分のみを図示している。
【００５７】
まず、図４に示す紙製容器２００のブランクは、正面壁２１１と背面壁２１２との間の折り曲げ線２ｂが、その下部において、二本の折り曲げ線（下部折り曲げ線）２ｂ１，２ｂ２に分岐しており、背面壁２１２と糊代２１３との間の折り曲げ線２ｃも二本の下部折り曲げ線２ｃ１，２ｃ２に分岐している点では、紙製容器１００と同様である。そして、これら下部折り曲げ線２ｂ１，２ｂ２で挟まれた略三角形状領域２４１と、二本の下部折り曲げ線２ｃ１，２ｃ２で挟まれた略三角形状領域２４２とを、下部側壁としている点でも、紙製容器１００と同様である。
【００５８】
この紙製容器２００のブランクにおいては、背面壁２１２の下方に折り曲げ線２ｍを介して底片２６１が連接されており、底片２６１の下方に折り曲げ線２ｎを介して差込片２７１が連接されている。
【００５９】
また、前記略三角形状領域２４１の下方に折り曲げ線（符号なし）を介してフラップ２５１が連接されており、略三角形状領域２４２の下方にも折り曲げ線（符号なし）を介してフラップ２５２が連接されている。
【００６０】
このブランクの底部組立工程は次のとおりである。すなわち、紙製容器１００の場合と同様に形成した筒状胴部において、まず、その下部折り曲げ線２ｂ１，２ｂ２を折り曲げて、これら下部折り曲げ線２ｂ１，２ｂ２で挟まれた略三角形状領域２４１を筒状胴部の内側に押し込んで下部側壁とすると共に、この略三角形状領域２４１に連接したフラップ２５１を折り込む。同様に下部折り曲げ線２ｃ１，２ｃ２を折り曲げて、これら下部折り曲げ線２ｃ１，２ｃ２で挟まれた略三角形状領域２４２を筒状胴部の内側に押し込んで下部側壁とすると共に、この略三角形状領域２４２に連接したフラップ２５２を折り込む。
【００６１】
次に、折り曲げ線２ｍ及び２ｎをいずれも山折りして、底片２６１で筒状胴部の底を封止すると共に、差込片２７１を底片２６１と背面壁２１２との間に差し込む。
【００６２】
なお、蓋部組立工程は紙製容器１００の場合と同様である。
【００６３】
こうして組み立てられた紙製容器２００も、紙製容器１００と同様に、筒状胴部とこの筒状胴部の上下端をそれぞれ封止する蓋部及び底部とを有するもので、その蓋部は二本の円弧に挟まれた形状を有しているが、底部は長方形状に構成されている。このため、吊り下げて展示することに加えて、載置台に安定して載置することができる。なお、蓋部に隙間ができないことはもちろんである。
【００６４】
次に、図５に示す紙製容器３００のブランクは、正面壁３１１と背面壁３１２との間の折り曲げ線が、その下部において、二本の折り曲げ線（下部折り曲げ線）に分岐しており、背面壁３１２と糊代３１３との間の折り曲げ線も二本の下部折り曲げ線２に分岐している点では、紙製容器１００や紙製容器２００と同様である。そして、これら下部折り曲げ線で挟まれた略三角形状領域３４１，３４２を、下部側壁としている点でも、紙製容器１００や紙製容器２００と同様である。
【００６５】
そして、この紙製容器３００のブランクにおいては、正面壁３１１の下方に、折り曲げ線（符号なし）を介して凸状嵌合片３６１が連接されている。この凸状嵌合片３６１は、その中央３６１ｂが左右３６１ａ，３５１ｃに比較して突出した形状を有している。
【００６６】
一方、背面壁３１２の下方には、折り曲げ線（符号なし）を介して凹状嵌合片３７１が連接されている。この凹状嵌合片３７１はその中央３７１ｂが左右３７１ａ，３７１ｃに比較して凹んだ形状を有している。なお、凹状嵌合片３７１と凸状嵌合片３６１とを重ね合わせたとき、その重畳した形状が長方形となるように、これら凹状嵌合片３７１と凸状嵌合片３６１は構成されている。
【００６７】
次に、前記略三角形状領域３４１，２４２の下方にも折り曲げ線（符号なし）を介してフラップ３５１，３５２が連接されている。
【００６８】
このブランクの底部組立工程は次のとおりである。すなわち、紙製容器１００や紙製容器２００の場合と同様に形成した筒状胴部において、まず、その下部折り曲げ線を折り曲げて、これら下部折り曲げ線で挟まれた略三角形状領域３４１，３４２を筒状胴部の内側に押し込んで下部側壁とすると共に、この略三角形状領域３４１，３４２に連接したフラップ３５１，３５２を折り込む。
【００６９】
次に、折り曲げ線で折り曲げて、凹状嵌合片３７１と凸状嵌合片３６１とを、筒状胴部の底部で重ね合わせ、これらを互いに嵌合することによって底部を組み立てることができる。
【００７０】
なお、蓋部組立工程は紙製容器１００や紙製容器２００の場合と同様である。
【００７１】
こうして組み立てられた紙製容器３００も、紙製容器１００紙製容器２００と同様に、筒状胴部とこの筒状胴部の上下端をそれぞれ封止する蓋部及び底部とを有するもので、その蓋部は二本の円弧に挟まれた形状を有しているが、底部は長方形状に構成されている。このため、吊り下げて展示することに加えて、載置台に安定して載置することができる。また、蓋部には隙間ができない。
【符号の説明】
【００７２】
１００：紙製容器
１１１：正面壁    １１２：背面壁    １１３：糊代      １２１：底片    １２２：底固定片    １３１：小差込フラップ    １３２：小差込フラップ    １４１：略三角形状領域（下部側壁）  １４２：略三角形状領域（下部側壁）  １５１：フラップ    １５２：フラップ  １６１：蓋片    １７１：固定介在片    １８１：蓋部固定片    １９１：差込片    １９２：差込片  １ａ：正面壁の側縁    １ｂ：折り曲げ線    １ｂ１：下部折り曲げ線    １ｂ２：下部折り曲げ線    １ｃ：折り曲げ線    １ｃ１：下部折り曲げ線    １ｃ２：下部折り曲げ線    １ｄ：折り曲げ線    １ｅ：折り曲げ線    １ｅ１：切り込み    １ｅ１：切り込み    １ｆ１：折り曲げ線    １ｆ１ａ：切り込み１ｆ２：折り曲げ線    １ｆ２ａ：切り込み    １ｇ：正面壁上縁折り曲げ線    １ｈ１：蓋片の上縁（固定用先端部）１ｈ２：蓋片の上縁（固定介在片折り曲げ線）    １ｈ１：蓋片の上縁（固定用先端部）１ｉ：背面壁上縁折り返し線    １ｊ１〜１ｊ３：蓋部固定片の上縁を構成する線分    １ｋ１〜１ｋ５：罫線    Ａ：吊り下げ孔    Ｂ：打ち抜き領域
２００：紙製容器
２１１：正面壁    ２１２：背面壁    ２１３：糊代    ２４１：略三角形状領域（下部側壁）  ２４２：略三角形状領域（下部側壁）  ２５１：フラップ    ２５２：フラップ    ２６１：底片    ２７１：差込片  ２ａ：正面壁の側縁    ２ｂ：折り曲げ線    ２ｂ１：下部折り曲げ線    ２ｂ２：下部折り曲げ線    ２ｃ：折り曲げ線    ２ｃ１：下部折り曲げ線    ２ｃ２：下部折り曲げ線    ２ｍ：折り曲げ線    ２ｎ：折り曲げ線
３００：紙製容器  ３１１：正面壁    ３１２：背面壁    ３１３：糊代    ３４１：略三角形状領域（下部側壁）    ３４２：略三角形状領域（下部側壁）    ３６１：凸状嵌合片    ３６１ａ：凸状嵌合片の左側    ３６１ｂ：凸状嵌合片の中央    ３６１ｃ：凸状嵌合片の右側    ３７１：凹状嵌合片    ３７１ａ：凹状嵌合片の左側  ３７１ｂ：凹状嵌合片の中央    ３７１ｃ：凹状嵌合片の右側
４００：紙製容器
４１１：正面壁    ４１２：背面壁    ４１３：糊代    ４２１：底片    ４３１：蓋片    ４４１：差込片  ４ａ：正面壁の側縁    ４ｂ：折り曲げ線    ４ｃ：折り曲げ線４ｄ：円弧状折り曲げ線    ４ｅ：底片の下縁    ４ｆ：円弧状折り曲げ線    ４ｇ：蓋片の上縁    ４ｈ：差込用スリット
【図１】
2018070172.tif 000003
【図２】
2018070172.tif 000004
【図３】
2018070172.tif 000005
【図４】
2018070172.tif 000006
【図５】
2018070172.tif 000007
【図６】
2018070172.tif 000008
【図７】
2018070172.tif 000009